(57)【要約】【課題】貯留した液体の処理が容易な電気掃除機を提供する。【解決手段】本体ケース２に対して着脱自在に取り付けられる集塵ケース１１を有する掃除機本体１と、集塵ケース１１に設けられた吸込口１０と、吸込口１０から吸引された気液混合物を気体と液体に分離する気液分離手段２１とを備える。掃除機本体１に、吸引された液体を収容する液体タンク９を着脱可能に設けた。これにより本体ケース２から集塵ケース１１を取り外すことなく、液体タンク９に溜まった液体を処理することができ、貯水性も向上する。また、吸込口１０から吸引された気液混合物が衝突する壁部２２と、吸気口２３を有するフィルター手段２４とを備え、壁部２２が吸気口２３を覆うから、吸気口２３を覆う壁部２２に気液混合物が衝突すると、含まれる液体が壁部２２に沿って落下し、液体タンク９に溜まる。これにより、吸気口２３に液体が入ることを防止できる。【選択図】図１
2016030050.tif 000002
【特許請求の範囲】
【請求項１】
基部及びこの基部に対して着脱可能に取り付けられる集塵部を有する掃除機本体と、
前記集塵部に設けられた吸込口と、
前記吸込口から吸引した気液混合物を気体と液体に分離する気液分離手段と、
を備えた電気掃除機において、
前記掃除機本体に、前記気液分離手段によって分離された液体を収容する液体タンクを着脱可能に設けたことを特徴とする電気掃除機。
【請求項２】
前記気液分離手段が、
前記吸込口から吸引された気液混合物が衝突する壁部と、
吸気口を有するフィルター手段とを備え、
前記壁部が前記吸気口を覆うことを特徴とする請求項１記載の電気掃除機。
【請求項３】
前記フィルター手段が前記吸込口側に突出した筒状部を有し、この筒状部の先端側に前記吸気口を設けたことを特徴とする請求項２記載の電気掃除機。
【請求項４】
前記掃除機本体の下部に前記液体タンクを設け、前記壁部に前記吸気口側に凹んだ縦方向に延びる凹部を形成したことを特徴とする請求項２又は３項に記載の電気掃除機。
【請求項５】
前記凹部に、縦方向に延びる突条部を設けたことを特徴とする請求項４記載の電気掃除機。
【請求項６】
前記掃除機本体の上部に設けられた把手部と、
前記掃除機本体の下部に設けられた前記液体タンクと、
前記掃除機本体の後部に設けられた載置部を有し、
前記載置部が載置面を有し、
前記フィルター手段の基部が主面を有すると共に、
前記主面から前記載置面までの距離を、前記把手部側よりも前記液体タンク側が短くなるようにしたことを特徴とする請求項２に記載の電気掃除機。
【発明の詳細な説明】
【技術分野】
【０００１】
本発明は、電気掃除機に関する。
【背景技術】
【０００２】
従来、この種の電気掃除機として、塵埃ケース本体と吸引作動部とを備え、前記塵埃ケース本体に気液を分離する気液分離区画体を設け、前記気液分離区画体は、前記気液混合物が流入される案内筒からなる案内手段と、前記案内筒の流入口に対向して配設されると共に、前記案内筒がなす軸線に対して下方に開いて傾斜された傾斜壁と、前記気液分離区画体から気体が流出される気体流出口と、気液分離後の気体が流れる前記気体流出口に至る気体経路とを有したものが提案されている（例えば特許文献１）。
【先行技術文献】
【特許文献】
【０００３】
【特許文献１】実用新案登録第３１７８４３３号公報
【発明の概要】
【発明が解決しようとする課題】
【０００４】
上記特許文献１の電気掃除機では、気液を分離する気液分離区画体の下方に分離された液体を舞い上がらないように貯留して、気液分離区画体から吸引機構側への流出口を起立した壁体の上方に開放させて設けて、吸引機構側に筒状のフィルターを装着させて、吸引能力の低下を抑制することができる。
【０００５】
しかし、集結された液体は、気液分離区画体を設けた塵埃ケース内に貯留されるから、液体を捨てる際には、吸引作動部から集塵ケース本体を取り外さなければならず、その際、集塵ケース本体を傾けると内部の液体が零れる虞があり、集めた液体の処理が煩雑となる問題があった。
【０００６】
また、上記電気掃除機では、気液分離区画体の上方のみに気体流出口を設けることにより、フィルター側への液体の侵入を防止しているが、使用時の姿勢などにより気体流出口から液体が侵入するとフィルターが濡れるため、その後の処理が煩雑となる問題があった。
【０００７】
本発明は以上の問題点を解決し、貯留した液体の処理が容易な電気掃除機を提供することを目的とし、加えて、吸気口への液体の侵入を防止することができる電気掃除機を提供することを目的とする。
【課題を解決するための手段】
【０００８】
本発明の請求項１に記載の電気掃除機は、この基部及び前記基部に対して着脱可能に取り付けられる集塵部を有する掃除機本体と、前記集塵部に設けられた吸込口と、前記吸込口から吸引した気液混合物を気体と液体に分離する気液分離手段と、を備えた電気掃除機において、前記掃除機本体に、前記気液分離手段によって分離された液体を収容する液体タンクを着脱可能に設けたことを特徴とする。
【０００９】
また、本発明の請求項２に記載の電気掃除機は、請求項１において、前記気液分離手段が、前記吸込口から吸引された気液混合物が衝突する壁部と、吸気口を有するフィルター手段とを備え、前記壁部が前記吸気口を覆うことを特徴とする。
【００１０】
また、本発明の請求項３に記載の電気掃除機は、請求項２において、前記フィルター手段が前記吸込口側に突出した筒状部を有し、この筒状部の先端側に前記吸気口を設けたことを特徴とする。
【００１１】
また、本発明の請求項４に記載の電気掃除機は、請求項２又は３において、前記掃除機本体の下部に前記液体タンクを設け、前記壁部に前記吸気口側に凹んだ縦方向に延びる凹部を形成したことを特徴とする。
【００１２】
更に、本発明の請求項５に記載の電気掃除機は、請求項４において、前記凹部に、縦方向に延びる突条部を設けたことを特徴とする。
【００１３】
また、本発明の請求項６に記載の電気掃除機は、請求項２において、前記掃除機本体の上部に設けられた把手部と、前記掃除機本体の下部に設けられた前記液体タンクと、前記掃除機本体の後部に設けられた載置部を有し、前記載置部が載置面を有し、前記フィルター手段の基部が主面を有すると共に、前記主面から前記載置面までの距離を、前記把手部側よりも前記液体タンク側が短くなるようにしたことを特徴とする。
【発明の効果】
【００１４】
本発明の請求項に記載の電気掃除機は、以上のように構成することにより、前記基部から前記集塵部を取り外すことなく、前記液体タンクに溜まった液体を処理することができ、貯水性も向上することができる。また、掃除後、吸引したほこりや塵等は集塵部を取り外して捨てればよく、また、吸引した液体は液体タンクを取り外して捨てることができるため、それぞれを分けた状態で、容易に捨てることができる。
【００１５】
また、前記壁部に気液混合物が衝突すると、含まれる液体が前記壁部に沿って落下し、前記液体タンクに溜まる。これにより、吸引した液体を液体タンクに導くことができると共に、前記吸気口に液体が入ることを防止できる。
【００１６】
更に、前記筒状部が前記吸込口側に突出しているため、前記集塵部内の液体が前記吸気口に吸い込まれることを防止できる。
【００１７】
また、前記壁部に沿って落下する液体は、前記凹部により左右に広がらずに、左右方向中央で下方へと案内されて落下し、下方の前記液体タンクに収容される。これにより、吸引した液体をより良好に液体タンクに導くことができる。
【００１８】
更に、前記壁部を伝わった落下する液体は、前記突条部に案内されて下向きの流れとなって落下し、下部の液体タンクに収容される。従って、吸引した液体をより良好に液体タンクに導くことができる。
【００１９】
また、フィルター手段に落下した液体は、フィルター手段の基部の傾きにより、下向きの流れとなって落下し、下部の液体タンクに収容される。従って、吸引した液体をより良好に液体タンクに導くことができる。
【図面の簡単な説明】
【００２０】
【図１】本発明の実施例１を示す電気掃除機の断面図である。
【図２】同、要部の拡大断面図である。
【図３】同、側面図である。
【図４】同、底面図である。
【図５】同、本体ケースの分解斜視図である。
【図６】同、集塵ケース及び液体タンクの分解斜視図である。
【図７】同、アタッチメントの分解斜視図であり、（ａ）は窓用ワイパー、（ｂ）は網戸用ブラシワイパーである。
【図８】同、充電台の分解斜視図である。
【図９】同、気液分離手段の正面図である。
【図１０】同、気液分離手段を上方から見た斜視図である。
【図１１】同、気液分離手段を下方から見た斜視図である。
【図１２】同、液体タンクの斜視図である。
【図１３】同、液体タンクを上方から見た斜視図である。
【図１４】同、縦向き使用時における液体タンク周辺の拡大断面図である。
【発明を実施するための形態】
【００２１】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２２】
以下、本発明の実施例１について、図１〜図１４に基づいて説明する。なお、主として、図１における左側を前、右側を後として説明する。また、図1における上下は、実際の上下と一致する。１は掃除機本体である。この掃除機本体１を構成する本体ケース２の上部には、握り部となるハンドル等とも称せられる把手部３が設けられている。また、前記本体ケース２は、その後部に、充電式電池４が収納された電池パック５を着脱可能に装着している。そして、この電池パック５を覆うように、蓋体５Ａが前記本体ケース２に対し着脱可能に取り付けられている。なお、前記蓋体５Ａの後面は、平坦に形成されている。なお、この蓋体５Ａが掃除機本体１を縦置きに載置する際の載置部となる。また、この載置部たる蓋体５Ａは載置面５Ｓを有し、この載置面５Ｓは平面である。また、前記本体ケース２内には、前記充電式電池４に電気的に接続され、駆動軸６Ａを有するモータ６を備える。前記モータ６は、モータケース６Ｃと前記本体ケース２によって囲われており、前記駆動軸６Ａは前記モータケース６Ｃに設けられた貫通孔６Ｈを介して、羽根７に接続されている。また、前記羽根７は、羽根ケース７Ｃ内に収納されている。なお、これら前記羽根７と、前記羽根ケース７Ｃと、前記モータ６とによって電動送風機８が構成される。更に、本体ケース２の下部には、液体タンク９が着脱自在に設けられている。
【００２３】
そして、前記本体ケース２の前面２Ｍには、先端側に吸込口１０を設けた集塵ケース１１が着脱可能に取り付けられている。また、前記集塵ケース１１は、その後部開口１２が前記本体ケース２の前面２Ｍに取り付けられている。なお、前記本体ケース２が前記掃除機本体１の基部であり、前記集塵ケース１１が前記掃除機本体１の集塵部である。
【００２４】
また、前記本体ケース２の前面２Ｍの上側に吸気口用接続口１３を設け、この吸気口用接続口１３が、前記羽根ケース７Ｃの一次側開口７Ａに連通する。また、前記羽根ケース７Ｃの二次側開口７Ｂが、前記本体ケース２の側面２Ｓに形成された排気孔１４に連通する。従って、前記羽根７を回転駆動すると、前記吸気口用接続口１３から取り込まれた気体等が、前記羽根ケース７Ｃを通って前記排気孔１４から外部に排出される。なお、図５に示すように、前記吸気口用接続口１３は方形である。
【００２５】
前記本体ケース２には、前記液体タンク９の取付部１５が形成されている。この取付部１５は、前記本体ケース２の下部を切り欠くようにして形成され、前記本体ケース２の下面２Ｋと、この下面２Ｋの前側に設けた取付部前面２Ｔとを備えている。この取付部前面２Ｔは、前記本体ケース２の前記前面２Ｍの下部と間隔を置いてその後側に設けられている。なお、前記下面２Ｋは平坦面である。また、前記前面２Ｍの下側には、流入口用接続口１６が設けられ、この流入口用接続口１６と、前記取付部前面２Ｔのタンク用接続口１７とが、前記本体ケース２に設けられた連通筒部１８により連通する。
【００２６】
更に、把手部３の上面には、前記電動送風機８の電源スイッチ１９の操作部１９Ａが設けられている。
【００２７】
そして、前記集塵ケース１１には、前記吸込口１０から吸引した気液混合物を気体と液体に分離する気液分離手段２１が設けられている。この気液分離手段２１は、前記後部開口１２から前記集塵ケース１１内に着脱自在に取り付けられる。
【００２８】
前記気液分離手段２１は、前記吸込口１０から吸引された気液混合物が衝突する壁部２２と、吸気口２３を有するフィルター手段２４とを備え、前記壁部２２が前記吸気口２３を覆っている。前記フィルター手段２４は、前記本体ケース２に前記集塵ケース１１を取り付けた状態で、前記本体ケース２の前面２Ｍを覆う本体２５と、この本体２５から前記吸込口１０側に突出した筒状部２６とを一体に備えている。なお、前記フィルター手段２４は、合成樹脂からなる。なお、前記本体２５がフィルター手段の基部である。また、前記本体２５の周囲には、リング部２７が設けられ、このリング部２７にシール部材２８が外装している。そして、前記リング部２７が前記後部開口１２に内嵌し、前記シール部材２８により気密性及び水密性が保持される。なお、図９等に示すように、前記本体２５は正面視で、縦長の略楕円形をなす。また、前記本体２５は、主面２５Ｓを有する。この主面２５Ｓは、図１のように電気掃除機本体１を横向きの姿勢した際、前記本体２５の下側（液体タンク９側）がこの上側（把手部３側）よりも後方となるよう、垂直よりも傾いた角度の面となる。即ち、前述した載置部たる蓋体５Ａの前記載置面５Ｓと、前記主面２５Ｓとの距離は、上側（把手部３側）の距離よりも下側（液体タンク９側）の距離が短く形成される。更に、図６に示すように、前記本体２５には、正面視で前記本体２５の左右方向中央に突条部２５Ｔが設けられ、この突条部２５Ｔの下端が前記流出口３５へと繋がっている。
【００２９】
前記筒状部２６は角筒であり、その後部２６Ｋが前記吸気口用接続口１３に連通する。また、前記筒状部２６の前面２６Ｍには、フィルター支持部２９が設けられている。このフィルター支持部２９は、縦，横の枠材３０，３０を交差方向に形成した格子状をなす。また、前記フィルター支持部２９の先端側には、前記筒状部２６より大きな拡大筒状部３１が設けられ、前記筒状部２６と拡大筒状部３１との間には拡大部３１Ｋが設けられている。また、前記拡大筒状部３１の先端周囲には、鍔部３１Ｔが周設されている。そして、前記拡大筒状部３１の中心線は前記筒状部２６の中心線に対して、上向きに設けられ、前記拡大筒状部３１の先端に前記吸気口２３が設けられている。なお、前記フィルター支持部２９の垂線は、拡大筒状部３１の中心線とほぼ同一方向をなす。
【００３０】
また、前記拡大筒状部３１内にはスポンジ状のフィルター３２が設けられている。このフィルター３２は、前記拡大筒状部３１に内嵌するブロック状であって、通気性を有する。
【００３１】
また、前記前面２Ｍには、前記吸気口用接続口１３を囲むように、環状のシール材３３が配置され、前記筒状部２６の後端には、前記シール材３３に圧接する突条枠部３４が後方に突設されている。そして、前記本体ケース２に前記集塵ケース１１を取り付けた状態で、前記突条枠部３４が前記シール材３３に当接して、前記筒状部２６が吸気口用接続口１３に気密に接続される。
【００３２】
更に、前記フィルター手段２４の本体２５の下側には、前記流入口用接続口１６に連通する筒状の流出口３５が設けられ、この流出口３５にはメッシュ状のフィルター３６が設けられている。そして、前記本体ケース２に前記集塵ケース１１を取り付けた状態で、前記流出口３５が前記流入口用接続口１６に連通する。
【００３３】
更に、前記前面２Ｍには、前記流入口用接続口１６を囲むように、環状のシール材３３Ａが配置され、前記流出口３５の後端には、前記シール材３３Ａに圧接する突条枠部３４Ａが後方に突設されている。そして、前記本体ケース２に前記集塵ケース１１を取り付けた状態で、前記突条枠部３４Ａが前記シール材３３Ａに当接して、筒状の流出口３５が流入口用接続口１６に気密且つ水密に接続される。なお、前記シール材３３，３３Ａはパッキンなどからなる。
【００３４】
前記本体２５の中央側には、前記吸気口２３側に突出した係合段部３７が形成されている。また、前記壁部２２には、壁部取付体４１が一体に設けられている。この壁部取付体４１は、前記係合段部３７に着脱自在に外嵌する係合枠部４２を備え、この係合枠部４２は上枠部４２Ａと左，右枠部４２Ｂ，４２Ｂを一体に有する。これらの左，右枠部４２Ｂ，４２Ｂには、上下の切込み部４３，４３の間に弾性爪部４４を設けている。そして、前記切込み部４３は、前後方向に形成されており、前記弾性爪部４４が弾発的に係止する係止突起３７Ｔが前記係合段部３７に設けられている。
【００３５】
従って、前記フィルター手段２４に前記壁部２２を被せ、前記係止突起３７Ｔに前記弾性爪部４４を係止することにより、前記フィルター手段２４と前記壁部２２とを一体に組み立てることができ、組立後、前記フィルター手段２４と前記壁部２２を前記後部開口１２から前記集塵ケース１１内に組み込むことができる。また、逆に、前記集塵ケース１１内から前記フィルター手段２４と前記壁部２２を取り外し、前記フィルター手段２４を前記壁部２２から離すようにして、係止手段たる前記係止突起３７Ｔと前記弾性爪部４４の係止を解除することにより、前記フィルター手段２４と前記壁部２２とを分解することができる。
【００３６】
図９〜図１１に示すように、前記壁部２２は、前記係合枠部４２の左，右枠部４２Ｂ,４２Ｂから左,右壁部５１，５１を前側（吸込口１０側）に突設し、これら左，右壁部５１，５１の前側を前壁部５２により連結して形成されている。なお、前記壁部２２には、前記左，右壁部５１，５１及び前記前壁部５２の上縁によって囲まれた上部開口５３が設けられている。また、前記前壁部５２は、連続する前壁部上部５２Ａと、前壁部正面部５２Ｂと、前壁部下部５２Ｃとからなり、前記前壁部５２には吸気口側に湾曲状に凹んだ凹部５４が形成されている。
【００３７】
前記前壁部上部５２Ａは、前記筒状部２６と略平行に形成され、前記前壁部正面部５２Ｂは、前記吸気口２３と略平行に形成され、前記前壁部下部５２Ｃは、前記筒状部２６と前記拡大筒状部３１の下側を覆うように、且つ前記前壁部正面部５２Ｂから前記流出口３５へ導くように、この前記流出口３５の前側に延びて形成されている。また、前記凹部５４の左右方向中央には、左右方向一定幅の突条部５５が前記前壁部５２の略全長に亘って上下方向に設けられている。更に、図１１に示すように、前記前壁部下部５２Ｃの後端縁には、左右に切り欠き状の開口部５６，５６を設け、これら開口部５６，５６の前端位置５６Ｔ，５６Ｔより前記突条部５５の後端が後方に延設されている。また、図９に示すように、前記前壁部上部５２Ａに比べて、前記前壁部正面部５２Ｂ及び前壁部下部５２Ｃは左右方向に幅広に形成されている。
【００３８】
前記集塵ケース１１は、後部から前部に向かって幅狭となる形状をなしている。また、前記集塵ケース１１は、前記本体ケース２と連なるように、円弧状の上面１１Ａ、左，右側面１１Ｂ，１１Ｂ、及び円弧状の下面１１Ｃを有している。そして、前記集塵ケース１１は、中空部６１を内部に形成して、この中空部６１内に塵埃を貯留できるようになっている。
【００３９】
また、前記集塵ケース１１の後下部には係止部６２が設けられ、この係止部６２が、前記本体ケース２の前側下部に設けた溝状の係止受部６３に係脱する。更に、前記集塵ケース１１の後上部には、係止爪からなる係止受部６４が設けられている。この係止受部６４に係脱可能な係止部６５を有する係止操作部６６が、前記本体ケース２の上部に回動可能に軸支されている。そして、前記係止部６５が係止する方向に前記係止操作部６６を付勢する付勢手段（図示せず）が設けられている。また、前記集塵ケース１１の後部左右には、前記左，右側面１１Ｂを後方に延長したカバー部６７が前記本体ケース２の前側側面を覆うように設けられている。
【００４０】
従って、まず、下側において、前記係止部６２を前記係止受部６３に係止させた後、前記集塵ケース１１の上部を前記本体ケース２側に近付け、前記係止部６５に前記係止受部６４を係止させることにより、前記本体ケース２の前側に前記集塵ケース１１が取り付けられる。この取付状態で、前記吸気口用接続口１３に前記筒状部２６の後部２６Ｋが連通し、前記流入口用接続口１６に前記流出口３５が連通し、更に、前記カバー部６７が、それぞれ前記本体ケース２の前側両側面を覆う。
【００４１】
また、前記吸込口１０には、アタッチメントを着脱する受筒部７１が設けられ、この受筒部７１は左右横長に形成されている。また、前記集塵ケース１１の先端の上面１１Ａには、凹所７２を形成し、この凹所７２に連結解除ボタン７３を軸支している。前記凹所７２には、貫通孔７４を形成し、この貫通孔７４に前記連結解除ボタン７３の係止部７５が係入し、この係止部７５を前記貫通孔７４に係入する方向に前記連結解除ボタン７３を付勢する付勢手段（図示せず）を備える。
【００４２】
一方、アタッチメントには、前記受筒部７１に挿入される挿入筒部７６を設け、この挿入筒部７６に前記係止部７５が係止する係止受部たる係止孔７５Ａを設けている。従って、図１に示すように、前記受筒部７１に前記挿入筒部７６を挿入し、前記係止部７５が前記係止孔７５Ａに係止することにより、アタッチメントが前記集塵ケース１１の先端側に連結固定される。一方、前記連結解除ボタン７３を操作して、前記係止孔７５Ａへの前記係止部７５の係止を解除することにより、アタッチメントを取り外すことができる。
【００４３】
図７（ａ）に示すアタッチメントは、窓用ワイパー７７である。この窓用ワイパー７７は、略Ｔ字状の本体７８の先端にスリット状の吸込口７９を有し、この吸込口７９の上下にゴム製等の上，下ブレード８０，８０Ａを設けると共に、前記本体７８の基端に前記挿入筒部７６が設けられている。なお、前記本体７８は、上，下半体７８Ａ，７８Ｂを組み立ててなる。そして、前記上，下ブレード８０，８０Ａの間から液体等を吸引することができる。
【００４４】
また、図７（ｂ）に示すアタッチメントは、網戸用ブラシワイパー８１である。この網戸用ブラシワイパー８１は、略Ｔ字状の本体７８の先端にスリット状の吸込口７９を有し、この吸込口の上部に布製ブレード８２を設けると共に、前記本体７８の基端に前記挿入筒部７６が設けられている。なお、前記本体７８は、上，下半体７８Ａ，７８Ｂを組み立ててなる。また、前記布製ブレード８２は二つ折りされており、内部に心材８２Ａが挿入されている。そして、前記布製ブレード８２が網戸の網に接触することにより、網からゴミを掻き落として吸引することができる。なお、前記布製ブレード８２は、塵埃を掻き落とす多数の起毛を有する。
【００４５】
更に、図６に示すアタッチメントは、隙間ノズル８３である。この隙間ノズル８３は、筒状の本体８４と、この本体８４の先端に設けられたノズル取付部８５に対し選択的に接続される隙間用ブラシ８６と隙間用柔らかノズル８７とで構成される。なお、前記本体８４の基端には、挿入筒部７６が設けられている。また、前記隙間用ブラシ８６は、先端にブラシ部８６Ａを有している。更に、前記隙間用柔らかノズル８７は、ゴム等の弾性体からなる。
【００４６】
前記本体ケース２の後下部には、コネクタ９０が突設されている。また、図８は充電台９１を示す。この充電台９１は、載置台部９２とアタッチメント用保持台部９３とを一体に備える。前記載置台部９２には、前記本体ケース２の後部を載置する載置部９２Ａが設けられると共に、前記コネクタ９０と電気的に接続するコネクタ受部９４が設けられている。また、前記保持台部９３の上面９３Ａには、前記アタッチメントを取り付け保持するための取付部９５が複数突設され、この取付部９５を前記アタッチメントの前記挿入筒部７６に挿入することにより、前記アタッチメントが保持される。
【００４７】
また、電源コード９６が、回路基板等を内蔵した電源用ボックス９７に接続され、これらの下部が下カバー９８により覆われている。更に、前記電源用ボックス９７に、前記コネクタ受部９４が電気的に接続されている。
【００４８】
更に、前記上面９３Ａに対応した保持枠体９９を設けている。この保持枠体９９は、線材からなり、その端部９９Ａ，９９Ａを前記充電台９１の装着孔９１Ａ，９１Ａに装着することにより、前記上面９３Ａと一定間隔を置いて前記保持枠体９９が取り付けられる。従って、前記取付部９５を前記挿入筒部７６に挿入して、前記取付部９５に保持されたアタッチメントの周囲を、前記保持枠体９９が囲む。
【００４９】
前記液体タンク９は、合成樹脂製であって、タンク本体１０１と、このタンク本体１０１に外装固定する取付体１０２と、前記タンク本体１０１に着脱自在に設けられた栓体１０３とを備える。前記タンク本体１０１は、ブロー成形により成形されており、上面部１０４と前面部１０５と湾曲面状の下側面部１０６とを備えた中空形状をなし、前記前面部１０５には前記栓体１０３を装着する装着筒部１０７が突設されている。なお、図１に示す使用状態において、前記装着筒部１０７の中心線は前側が高い斜め方向を向く。また、前記装着筒部１０７は、前記タンク本体１０１の前面部１０５の上側に設けられている。
【００５０】
前記取付体１０２は、前記タンク本体１０１の前面部１０５に沿う帯状の前板部１１１と、前記下側面部１０６の中央に沿う前後方向の帯状部１１２とを一体に備え、前記前板部１１１の左右に係止腕部１１３,１１３を設けている。この係止腕部１１３は、前後方向の内片部１１４と、この内片部１１４の後端から外側に向かって設けられた後片部１１５と、この後片部１１５の外端から前側に向かって設けられた外片部１１６と、この外片部１１６の前端に設けられた係止部たる係止爪部１１７とを一体に備える。
【００５１】
また、前記本体ケース２の取付部前面２Ｔの内面に、前記係止爪部１１７が係脱する係止受部２Ｒが設けられている。更に、前記帯状部１１２の後部には、前記タンク本体１０１の上面部１０４の後部に外嵌係止する外嵌係止部１１８を設け、この外嵌係止部１１８の上部に、断面略Ｔ字状の係止部１１９が設けられる。一方、前記本体ケース２の後部には、前記係止部１１９が係止する前後方向の係止溝部１２０が設けられている。なお、この係止溝部１２０は、Ｔ字状をなす。そして、前記係止爪部１１７及び係止部１１９により、前記液体タンク９を前記掃除機本体１に対し着脱可能とする着脱手段１１０を構成している。
【００５２】
また、前記タンク本体１０１の前面部１０５の左右には、前記係止腕部１１３の少なくとも一部を収納する収納凹所１０８，１０８が形成されている。更に、前記前板部１１１と帯状部１１２の厚さに対応して凹んだ凹部１０９が、前記前面部１０５と下側面部１０６とに連続形成されている。
【００５３】
従って、左右の前記係止腕部１１３，１１３を前記収納凹所１０８，１０８に収納すると共に、前記外嵌係止部１１８を前記タンク本体１０１の上面部１０４の後部に係止することにより、前記タンク本体１０１の外面に前記取付体１０２を一体的に設けることができる。そして、前記栓体１０３を前記装着筒部１０７に装着した状態で、前記取付部１５に対して前記液体タンク９を前方に移動させ、前側では左右の前記係止受部２Ｒ，２Ｒに左右の前記係止爪部１１７，１１７を係止し、後側では前記係止溝部１２０に前記係止部１１９を係止することにより、前記取付部１５に前記液体タンク９を取り付けることができる。一方、左右の前記外片部１１６，１１６を内側に押してやれば、前記係止受部２Ｒ７Ａ，６７Ａと前記係止爪部１１７，１１７との係止が解除され、前記液体タンク９を後側に引き抜くようにして前記取付部１５から取り外すことができる。
【００５４】
図１，図２及び図１４等に示すように、前記栓体１０３は、円筒状の栓本体１２１の前端に、該栓本体１２１より径大な円筒状の挿入筒部１２２を一体に備えている。そして、前記栓本体１２１内の下部には、内筒部１２３が配置されている。なお、この内筒部１２３の前端は、前記挿入筒部１２２の前端側から前方に突出して設けられている。また、前記栓体１０３の後端に、端板部１２４を設け、前記栓本体１２１の後端上部に前記タンク本体１０１に連通する上孔１２１Ａを設けると共に、前記栓本体１２１の後端下部に前記タンク本体１０１に連通する下孔１２３Ａを設けている。なお、前記上孔１２１Ａは前記内筒部１２３には連通ぜず、前記下孔１２３Ａは前記栓本体１２１には連通していない。
【００５５】
また、前記挿入筒部１２２の外周に溝部１２５を周設し、この溝部１２５にＯリング等のシール材１２６を装着している。これにより、前記装着筒部１０７内に前記挿入筒部１２２を挿入すると、前記シール材１２６により、両者間の水密状態が確保される。更に、挿入筒部１２２には、位置決め手段たる左右の鍔部１２７、１２７を設け、これら左右の鍔部１２７，１２７に係合部たる係合孔１２８，１２８を設け、これら係合孔１２８，１２８に係合する係合部たる係合突起１０７Ａ，１０７Ａを、前記装着筒部１０７の外周に設けている。
【００５６】
そして、前記栓体１０３の栓本体１２１を、前記装着筒部１０７から前記液体タンク９内に挿入し、前記装着筒部１０７内に前記挿入筒部１２２を内嵌すると、前記シール材１２６が前記装着筒部１０７に圧接し、前記液体タンク９が止水され、前記タンク本体１０１に前記栓体１０３が取り付けられる。また、前記係合孔１２８，１２８と前記係合突起１０７Ａ，１０７Ａが係合することにより、前記栓体１０３の上下が位置決めされた状態で前記液体タンク９に装着される。
【００５７】
液体タンク９を取り付けた後、図１に示すように、前記取付部１５に前記液体タンク９を取り付けると、前記連通筒部１８の後側が前記挿入筒部１２２内に挿入されると共に、前記タンク用接続口１７が前記栓体１０３に接続される。また、この接続状態で、前記内筒部１２３の先端側は前記連通筒部１８内に配置され、前記内筒部１２３の先端が流入口用接続口１６に近接し、また、前記連通筒部１８が前記挿入筒部１２２内に挿入接続される。なお、図１に示す使用状態において、前記栓本体１２１は、前側が高くなるように斜め向きとなり、前記筒状部２６及び前記吸込口１０は、前側が低くなるように斜め向きとなる。
【００５８】
次に、前記構成について、その作用を説明する。結露が発生したガラス窓の掃除を行う場合、使用者は、前記集塵ケース１１の受筒部７１に前記窓用ワイパー７７を取り付けた後、前記電気掃除機本体１の把手部３を手で握って、前記吸込口７９が斜め上向きとなるようにして、上，下ブレード８０，８０Ａをガラス窓の被清掃面（図示せず）に近接させる。この場合、前記電池パック５の蓋体５Ａの後面が略水平となる（以下、縦向き使用時という）。そして、前記操作部１９Ａを操作すると、前記充電式電池４から電力が供給され、前記モータ６が作動することにより、前記羽根７が高速回転し、前記羽根ケース７Ｃにおいて一次側開口７Ａから吸い込んだ空気を二次側開口７Ｂから排気するようになる。このため、被清掃面上の水（結露水）は、前記吸込口７９から前記吸込口１０を経由して吸い込まれる。なお、被清掃面に汚れが付着していた場合、この汚れと共に水（結露水）が前記吸込口７９から前記吸込口１０を経由して吸い込まれる。
【００５９】
そして、水と空気とを含んだ気液混合物は、前記吸込口１０に対向する前記壁部２２に当たり、水と空気に分離する。水は主として、重力により、前記前壁部正面部５２Ｂと前壁部下部５２Ｃに沿って下方に流れ、前記流出口３５，流入口用接続口１６，栓体１０３と流れて、前記液体タンク９内に貯留される。この場合、前記前壁部５２には前記凹部５４が形成されているため、水が左右に広がらず、下方へと案内される。更に、前記凹部５４の中央には、前記突条部５５が連続して形成されているから、当たった水が突条部５５に案内されて下向きの流れとなって凹部５４に沿って落下する。なお、被清掃面に付着していた汚れを水と共に吸い込んだ場合、この汚れは水と共に前記液体タンク９に貯留される。
【００６０】
また、気液混合物中の空気は、前記上部開口５３及び開口部５６，５６を通って前記吸気口２３に吸い込まれ、上述したように、前記電動送風機８を通過して、前記排気孔１４から外部に排気される。吸引した空気に塵埃が含まれる場合、この塵埃は、水と共に前記流出口３５に流れ、フィルター３６によって捕捉される。吸い込まれる水の量が比較的少ない場合、即ち、塵埃が比較的乾いている場合、塵埃の一部は前記フィルター３２に捕捉される。なお、図１の使用状態において、図２に示すように、前記上部開口５３の前端５３Ａは、前記吸気口２３よりも後方に位置する。
【００６１】
なお、前述したように、前記壁部２２に衝突した水は、主として、重力により、前記前壁部正面部５２Ｂと前壁部下部５２Ｃに沿って下方に導かれ、液体タンク９内に貯留される。但し、縦向き使用時において、前記壁部２２に衝突した一部の水は、前記前壁部上部５２Ａと前記集塵ケース１１の内面との間から前記フィルター手段２４における前記本体２５上に落下する。また、同じく一部の水は左，右壁部５１，５１の外面を伝わって前記本体２５上に落下する。このとき、前記フィルター手段２４における前記本体２５は、主面２５Ｓを有し、この主面２５Ｓは、図１のように電気掃除機本体１を横向きの姿勢した際には、前記本体２５の下側（液体タンク９側）がこの上側（把手部３側）よりも後方となるよう、垂直よりも傾いた角度の面となる。即ち、前述した載置部たる蓋体５Ａの前記載置面５Ｓと、この主面２５Ｓとの距離は、上側（把手部３側）よりも下側（液体タンク９側）の方が短くなるように形成される。従って、電気掃除機本体１を縦向きの姿勢で使用した場合には、前記主面２５Ｓが、液体タンク９側に傾いているため、前記本体２５上に落下した水は、前記本体２５の傾きにより、中央の前記上部開口５３と前記開口部５６，５６を通って流出口３５に導くことができる。また、前記本体２５に前記筒状部２６を突設し、この筒状部２６の先端に吸気口２３を設けると共に、前記壁部２２が前記吸気口２３を覆うように構成したことにより、縦向き使用時において、前記前壁部上部５２Ａと前記集塵ケース１１の内面との間から落下した水が、前記吸気口２３に浸入することを防止することができる。また、このように構成したことにより、何らかの理由で前記流出口３５が塞がってしまい、前記集塵ケース１１内における水位が上昇したとしても、前記吸気口２３の高さ以下の水位であれば、水が前記吸気口２３に侵入することを防止することができる。なお、図６に示すように、前記本体２５には、正面視で、前記本体２５の左右方向中央に突条部２５Ｔが設けられ、この突条部２５Ｔの下端は、前記流出口３５へと繋がっている。これにより、前記本体２５上に落下した水は、前記突条部２５Ｔを伝って前記流出口３５へ導きやすくすることができる。
【００６２】
また、縦向き使用時の前記液体タンク９においては、水が前記流出口３５，流入口用接続口１６，タンク用接続口１７から、主として前記栓本体１２１を通って前記タンク本体１０１内に流れ込む。この際、前記内筒部１２３から前記タンク本体１０１内の空気が前記集塵ケース１１に逃げることにより、水がスムーズに前記タンク本体１０１内に流れ落ちる。この場合、前記内筒部１２３の上端は、前記栓本体１２１の上端、即ち前記タンク用接続口１７の位置より上方に突出しているから、水没し難く、スムーズに空気を排出することができる。
【００６３】
このため、図１４に示すように、前記上孔１２１Ａ及び下孔１２３Ａが水没しない高さが基準水位Ｈであり、この基準水位Ｈに対応して、図１２に示すように、前記タンク本体１０１に目盛１０１Ｈを設けている。このとき、縦向き使用時において、この目盛１０１Ｈ以下の水位であれば、その状態で電気掃除機本体１を図１のように横向きの姿勢にしたとしても、前記下孔１２３Ａが水没しないように、液体タンク９内の容積が適宜規定されている。従って、一定の水位以下であれば、前記電気掃除機本体１の姿勢を変更したとしても、前記栓本体１２１から水が逆流する虞を軽減することができる。なお、もしも前記内筒部１２３が水没しても、この内筒部１２３とこれを除いた栓本体１２１とにより互いに独立した２つの通路があるため、一方から水が流下し、他方から空気を上部に排気できる。
【００６４】
また、前記電気掃除機本体１を略図１の向きにして掃除を行う場合は、前記吸込口７９から前記吸込口１０を経由して吸引された気液混合物は、前記壁部２２に当たり、分離された水が前記壁部２２に沿って落下し、前記液体タンク９に収納される。この場合、前記フィルター手段２４の本体２５上において、水位が上昇することはない。また、空気が流れ込む前記上部開口５３に水が浸入しても、この水は下方の前記開口部５６から更に下方の前記流出口３５に落下する。この場合、前記上部開口５３から前記壁部２２内に入った水が、前記筒状部２６の外面を伝わっても、前記吸気口２３に至る前に、前記拡大部３１Ｋと鍔部３１Ｔにおいて下方に落下し、しかも、図１に示した使用状態では、前記吸気口２３が斜め下向きをなすから、吸気口２３に水が浸入することを防止できる。また、図１の状態でも、水は、主として前記栓本体１２１を通って前記タンク本体１０１内に流れ込み、この際、内筒部１２３からタンク本体１０１内の空気が逃げる。また、上向き使用時において、前記タンク本体１０１内の水位が基準水位Ｈ以下であれば、図１の状態にしても、前記タンク本体１０１内の水位は前記下孔１２３Ａの位置より下となるため、前記タンク本体１０１の水が前記栓体１０３から漏れることがない。
【００６５】
更に、乾いた状態の被清掃面を掃除する場合は、空気に含まれた塵埃が前記壁部２２に衝突された後、前記フィルター３２によって分離される。なお図１のように横向きの姿勢の状態では、塵埃は前記集塵ケース１１内の下部側に溜まる。一方、上記縦向き使用時には、塵埃は前記フィルター手段２４と前記集塵ケース１１の内面との間や、前記本体２５上等に溜まる。
【００６６】
そして、前記液体タンク９に基準水位Ｈまで水が溜まったら、前記液体タンク９を取り外して内部の液体を捨てる。この場合、取付手順とは逆に、両側の前記外片部１１６，１１６を内側に押すことより、前記係止爪部１１７と係止受部２Ｒとの係止を解除し、前記液体タンク９を後側に引き抜くようにすれば、前記係止溝部１２０から前記係止部１１９が外れ、前記本体ケース２から前記液体タンク９を取り外すことができる。そして、図１４に示した基準水位Ｈ以下であれば、取り外した前記液体タンク９の栓体１０３側を図１４の状態から逆さにしても、水位が前記上，下孔１２１Ａ，１２３Ａ未満となり、外部に水が漏れることがない。即ち、図１４において、上下を反転しても、水位Ｈは、前記上，下孔１２１Ａ，１２３Ａより下になる。
【００６７】
また、前記集塵ケース１１内に溜まった塵埃を排出する場合は、前記係止操作部６６を押して前記係止部６５と係止受部６４との係止を解除すれば、前記本体ケース２から前記集塵ケース１１を取り外すことができる。この取り外した集塵ケース１１から、前記気液分離手段２１を取り外し、集塵ケース１１内に溜まった塵埃を外部に排出する。また、前記フィルター手段２４を前記壁部２２から離すようにして、前記係止突起３７Ｔと弾性爪部４４の係止を解除することにより、前記フィルター手段２４と壁部２２とを分解し、前記フィルター３２等の洗浄を行うことができる。
【００６８】
更に、前記液体タンク９は、ブロー成形による前記タンク本体１０１を備えるが、ブロー成形では、前記本体ケース２側に係止する係止部材を設けることが難しい。そこで、前記タンク本体１０１とは別体で射出成型等により前記取付体１０２を成形し、この取付体１０２を前記タンク本体１０１に外嵌固定することにより、ブロー成形の前記タンク本体１０１に、前記係止爪部１１７，１１７及び前記係止部１１９を装備することができる。また、前記取付体１０２は、前記前板部１１１と、前記帯状部１１２と、前記係止腕部１１３,１１３と、前記内片部１１４と、前記後片部１１５と、前記外片部１１６と、前記係止爪部１１７と、前記外嵌係止部１１８と、前記係止部１１９とを全て一体に成型している。これにより、前記取付体１０２の一部品のみを前記液体タンク９に取りつけるだけで、前記本体ケース２に係止するための係止部材を前記液体タンク９に設けることができる。
【００６９】
以上のように本発明は、基部たる本体ケース２及びこの本体ケース２に対して着脱可能に取り付けられる集塵部たる集塵ケース１１を有する掃除機本体１と、前記集塵ケース１１に設けられた吸込口１０と、この吸込口１０から吸引した気液混合物を気体と液体に分離する気液分離手段２１と、を備えた電気掃除機において、前記掃除機本体１に、吸引した液体を収容する液体タンク９を着脱可能に設けたから、前記本体ケース２から前記集塵ケース１１を取り外すことなく、前記液体タンク９に溜まった液体を処理することができ、貯水性も向上することができる。
【００７０】
また、前記気液分離手段２１が、前記吸込口１０から吸引された気液混合物が衝突する壁部２２と、吸気口２３を有するフィルター手段２４とを備え、前記壁部２２が前記吸気口２３を覆うから、この吸気口２３を覆う壁部２２に気液混合物が衝突すると、含まれる液体が前記壁部２２に沿って落下し、前記液体タンク９に溜まる。これにより、前記吸気口２３に液体が入ることを防止できる。
【００７１】
更に、前記フィルター手段２４が前記吸込口１０側に突出した筒状部２６を有し、この筒状部２６の先端側に前記吸気口２３を設けたことで、前記筒状部２６が前記吸気口２３側に突出しているため、前記集塵ケース１１内の液体が前記吸気口２３から吸い込まれることを防止できる。
【００７２】
また、前記掃除機本体１の下部に前記液体タンク９を設け、前記壁部２２に前記吸気口２３側に凹んだ縦方向に延びる凹部５４を形成したから、前記壁部２２を伝わった落下する液体が、前記凹部５４により左右に広がらずに、左右方向中央で下方へと案内されて落下し、下方の前記液体タンク９に収容される。
【００７３】
更に、前記凹部５４に、縦方向に延びる突条部５５を設けたから、前記壁部２２を伝わった落下する液体が、前記突条部５５に案内されて下向きの流れとなって落下し、下方の前記液体タンク９に収容される。
【００７４】
また、載置部たる前記蓋体５Ａの前記載置面５Ｓから前記主面２５Ｓまでの距離が、前記把手部３側よりも前記液体タンク９側が短くなるように形成したから、前記本体２５上に落下した水は、前記本体２５の傾きにより、前記流出口３５に導くことができる。
【００７５】
また、以下、実施例上の効果として、前記気液分離手段２１は、前記吸込口１０から吸引された液混合物が衝突する前記壁部２２と、前記吸気口２３を有する前記フィルター手段２４とを組み立て自在に備えるから、前記壁部２２とフィルター手段２４とを分離して清掃等を容易に行うことができる。更に、前記拡大筒状部３１の中心線が、前記筒状部２６の中心線に対して上向きに設けられているから、縦向き使用時に水位が上昇しても、前記吸気口２３に水が浸入し難いと共に、前記上部開口５３から前記壁部２２内に入った水が、前記筒状部２６の外面を伝わっても、前記吸気口２３に水が浸入し難くなる。
【００７６】
また、前記前壁部正面部５２Ｂの左右幅に比べて、前記前壁部上部５２Ａが幅狭に形成されているから、前記集塵ケース１１の内面と前壁部上部５２Ａとの間からの前記吸気口２３への空気の流れを確保しつつ、この吸気口２３への水の侵入を防止できる。逆に、前記前壁部上部５２Ａに比べて前記前壁部正面部５２Ｂ及び前壁部下部５２Ｃは左右方向に幅広に形成されているから、前記左，右壁部５１，５１への水の広がりを抑制できる。
【００７７】
また、前記本体ケース２の上部に前記把手部３を設けると共に、前記本体ケース２の下部に前記液体タンク９を設けたから、前記把手部３を持って前記掃除機本体１を運搬等しても、前記液体タンク９が下になるため、液漏れなどが発生し難い。更に、前記前壁部下部５２Ｃの後側には、左右に切り欠き状の開口部５６，５６を設けたから、縦向き使用時に前記集塵ケース１１内の水を速やかに前記流出口３５から前記液体タンク９へと流すことができる。また、前記フィルター手段２４の本体２５は縦向き使用時に前記流出口３５側が低くなるように斜めになるから、前記本体２５上の水を前記流出口３５側に案内することができる。なお、縦向き使用時は前記蓋体５Ａの下面が水平となる。
【００７８】
更に、前記栓体１０３を前記栓本体１２１と内筒部１２３の二重構造としたから、一方から前記タンク本体１０１内に水が流れ込み、他方から空気が排気されるため、前記タンク本体１０１内にスムーズに水を貯めることができる。また、前記内筒部１２３が前記栓本体１２１の前端から前方に突出しているから、縦向き使用時において、前記内筒部１２３の上端が水没し難く、空気抜きをスムーズに行うことができる。更に、前記栓本体１２１は前記タンク本体１０１の前後方向に長く形成されているから、図１４の縦向き使用時の状態で基準水位Ｈ以下であれば、前記液体タンク９を外し、図１４の状態から上下反転しても、水位は反転した状態で、前記上，下孔１２１Ａ，１２３Ａ以下となるため、内部の水が漏れることがなく、逆止弁等を用いることなく、水漏れを防止するができる。
【００７９】
なお、本発明は以上の実施例に限定されるものではなく、発明の要旨の範囲内で種々の変形実施が可能である。例えば、上記実施例では、前壁部の上下方向全長に凹部及び突条部を設けたが、少なくとも前壁部正面部及び前壁部下部に凹部及び突条部を設ければよい。
【符号の説明】
【００８０】
１  掃除機本体
２  本体ケース（基部）
３  把手部
５Ａ  蓋体（載置部）
５Ｓ  載置面
９    液体タンク
１０  吸込口
１１  集塵ケース（集塵部）
２１  気液分離手段
２２  壁部
２３  吸気口
２４  フィルター手段
２５  本体（フィルター手段の基部）
２５Ｓ  主面
２６  筒状部
５４  凹部
５５  突条部
【図１】
2016030050.tif 000003
【図２】
2016030050.tif 000004
【図３】
2016030050.tif 000005
【図４】
2016030050.tif 000006
【図５】
2016030050.tif 000007
【図６】
2016030050.tif 000008
【図７】
2016030050.tif 000009
【図８】
2016030050.tif 000010
【図９】
2016030050.tif 000011
【図１０】
2016030050.tif 000012
【図１１】
2016030050.tif 000013
【図１２】
2016030050.tif 000014
【図１３】
2016030050.tif 000015
【図１４】
2016030050.tif 000016